(57)【要約】【課題】操作リングの回転量検出部とレンズ駆動部を分離したレンズ鏡筒において操作リングが操作された場合に操作性良くレンズを駆動すること【解決手段】回転量検出部１０６による検出結果に応じてレンズ駆動手段１０２を制御してレンズ１０１ａを駆動させるレンズ制御部１０８と、操作リング１０４と接触して操作リングと共に回転する弾性回転部材１０５ａを有し、操作リングの回転操作の開始を検出する操作検出部１０５と、を有し、傾斜面１０４ａと１２２の一方には突起部１２４が設けられ、突起部と傾斜面１０４ａと１２２の他方との接触によって接触し、操作リングと弾性回転部材は前記弾性回転部材の回転軸方向において複数の点で接触することがない。【選択図】図１
2016018087.tif 000002
【特許請求の範囲】
【請求項１】
回転操作される回転操作部材と、
光学素子を駆動する駆動手段と、
前記回転操作部材の回転量を検出する回転量検出手段と、
前記回転量検出手段による検出結果に応じて前記駆動手段を制御して前記光学素子を駆動させるレンズ制御手段と、
前記回転操作部材と接触して前記回転操作部材と共に回転する弾性回転部材を有し、前記回転操作部材の回転操作の開始を検出する操作検出手段と、
を有し、
前記回転操作部材は第１の傾斜面を有し、
前記弾性回転部材は第２の傾斜面を有し、
前記回転操作部材の前記第１の傾斜面と前記弾性回転部材の前記第２の傾斜面は、それぞれ、前記弾性回転部材の回転軸に対して傾斜し、前記第１の傾斜面と前記第２の傾斜面の一方には突起部が設けられ、前記突起部は、前記第１の傾斜面と前記第２の傾斜面の他方と接触し、前記回転操作部材と前記弾性回転部材は前記弾性回転部材の回転軸方向において複数の点で接触することがないことを特徴とするレンズ装置。
【請求項２】
前記弾性回転部材と共に回転し、導電部と非導電部を円筒面に有する円筒電極と、
前記円筒電極の前記円筒面に接触する第１のブラシ電極と第２のブラシ電極と、第３のブラシ電極と、を有し、
前記第１のブラシ電極が前記円筒電極の前記導電部と接触しているときは前記第２のブラシ電極は前記円筒電極の前記非導電部と接触し、前記第２のブラシ電極が前記円筒電極の前記導電部と接触しているときは前記第１のブラシ電極は前記円筒電極の前記非導電部と接触し、前記第３のブラシ電極は前記円筒電極と常に導通し、
前記操作検出手段は前記第３のブラシ電極と前記第１のブラシ電極または前記第２のブラシ電極との導通によって生成される信号の変化によって前記回転操作部材の回転操作の開始を検出することを特徴とする請求項１に記載のレンズ装置。
【請求項３】
前記第３のブラシ電極は、前記突起部と前記第１の傾斜面と前記第２の傾斜面の前記他方とが接触するように前記弾性回転部材の前記回転軸に平行な方向に前記弾性回転部材を付勢する付勢手段を兼ねることを特徴とする請求項２に記載のレンズ装置。
【請求項４】
前記レンズ制御手段は、前記駆動手段と前記回転量検出手段へ電力を供給する撮影可能モードと、前記駆動手段と前記回転量検出手段への電力供給を停止する省電力モードと、を設定し、前記撮影可能モードにおいて前記回転量検出手段による検出結果に応じて前記駆動手段を制御して前記光学素子を駆動させ、
前記レンズ装置は、前記レンズ制御手段が前記省電力モードを設定しているときに前記操作検出手段によって前記回転操作部材が回転操作されたことが検出されると、前記レンズ制御手段に前記撮影可能モードに復帰させる信号を送信する復帰通知手段を更に有することを特徴とする請求項１乃至３のうちいずれか１項に記載のレンズ装置。
【請求項５】
請求項１乃至４のうちいずれか１項に記載のレンズ装置と、該レンズ装置が接続する撮像装置本体と、を有することを特徴とする撮影システム。
【発明の詳細な説明】
【技術分野】
【０００１】
本発明は、レンズ装置および撮影システムに関する。
【背景技術】
【０００２】
レンズ鏡筒やカメラ本体などの光学機器には小型化、省電力化、操作性の向上などが要求されている。例えば、カメラ本体およびレンズ鏡筒は、一定時間操作されないと、省電力状態（スリープ状態）に移行する。一方、操作リングの回転運動を機械的にレンズの直進運動に変換せずに、操作リングの回転量検出部とレンズ駆動部を分離した構成（パワーズーム、パワーフォーカス）では、レンズ制御部が回転量検出部からの検出結果に基づいてレンズ駆動部を制御する。回転量検出部による回転量の検出、レンズ駆動部によるレンズ駆動、レンズ制御部と回転量検出部やレンズ駆動部との通信は電力を必要とするため、省電力状態では働かない。つまり、省電力状態で操作リングが回転操作されてもレンズを直ちに移動させることはできず、まずはレンズ鏡筒を省電力状態から撮影可能状態に復帰させる必要がある。
【０００３】
特許文献１は、操作リングの回転操作が機械的にレンズの直進運動に変換されないパワーズームやパワーフォーカスを有するレンズ鏡筒において、操作リングを回転すると省電力モードから復帰させる操作検出部を提案している。特許文献１では、操作リングが回転操作されると、操作リングに連結されたギアと一体で回転する電気接点方式の操作検出部から、省電力モードからの復帰信号が出力される。
【先行技術文献】
【特許文献】
【０００４】
【特許文献１】特開平０６−２６５７７１号公報
【発明の概要】
【発明が解決しようとする課題】
【０００５】
しかしながら、特許文献１では、回転の伝達がギアにて行われるために、ギアの歯あたりによる回転抵抗ムラが、操作者の手に伝わり操作感触（操作性）が悪いという問題があった。
【０００６】
本発明は、操作リングの回転量検出部とレンズ駆動部を分離したレンズ装置において操作リングが操作された場合に操作性良くレンズを駆動することが可能なレンズ装置および撮影システムを提供することを例示的な目的とする。
【課題を解決するための手段】
【０００７】
本発明のレンズ装置は、回転操作される回転操作部材と、光学素子を駆動する駆動手段と、前記回転操作部材の回転量を検出する回転量検出手段と、前記回転量検出手段による検出結果に応じて前記駆動手段を制御して前記光学素子を駆動させるレンズ制御手段と、前記回転操作部材と接触して前記回転操作部材と共に回転する弾性回転部材を有し、前記回転操作部材の回転操作の開始を検出する操作検出手段と、を有し、前記回転操作部材は第１の傾斜面を有し、前記弾性回転部材は第２の傾斜面を有し、前記回転操作部材の前記第１の傾斜面と前記弾性回転部材の前記第２の傾斜面は、それぞれ、前記弾性回転部材の回転軸に対して傾斜し、前記第１の傾斜面と前記第２の傾斜面の一方には突起部が設けられ、前記突起部は、前記第１の傾斜面と前記第２の傾斜面の他方と接触し、前記回転操作部材と前記弾性回転部材は前記弾性回転部材の回転軸方向において複数の点で接触することがないことを特徴とする。
【発明の効果】
【０００８】
本発明によれば、操作リングの回転量検出部とレンズ駆動部を分離したレンズ装置において操作リングが操作された場合に操作性良くレンズを駆動することが可能なレンズ装置および撮影システムを提供することができる。
【図面の簡単な説明】
【０００９】
【図１】本発明の操作検出部を示す部分斜視図および部分断面図である。（実施例１）
【図２】本発明の撮影システムのブロック図である。（実施例１、２）
【図３】図２に示す操作検出部の効果を説明するための部分断面図である。（実施例１）
【図４】図１に示す操作検出部の付勢手段の一例を示す断面図と平面図である。（実施例１）
【図５】図１に示す円筒電極の電極パターンを説明する図である。（実施例１）
【図６】図１に示す電子回路で生成される信号例を示すグラフである。（実施例１）
【図７】図１に示す電子回路の電気回路図である。（実施例１）
【図８】図２に示すレンズ制御部の動作を示すフローチャートである。（実施例１）
【図９】図２に示す回転開始検出部の斜視図である。（実施例２）
【発明を実施するための形態】
【００１０】
図２（ａ）は、本実施形態のカメラシステム（撮影システム）のブロック図である。カメラシステムは、レンズ鏡筒（レンズ装置）１００とカメラ本体（撮像装置本体）１８０から構成される。レンズ鏡筒１００は、不図示のマウントを介してカメラ本体１８０に接続される（着脱可能な）交換レンズである。レンズ鏡筒は、不図示のマウントに設けられた電気接点１９０を介してカメラ本体１８０と電気的に接続され、カメラ本体１８０と通信ができるほか、電源供給を受ける。本実施形態のカメラ本体１８０は一眼レフカメラやミラーレスカメラである。
【００１１】
レンズ鏡筒１００は、撮影光学系１０１、レンズ駆動部１０２、操作リング１０４、操作検出部１０５、回転量検出部１０６、復帰通知部１０７、レンズ制御部１０８を有する。
【００１２】
撮影光学系１０１は、被写体の光学像（被写体像）を形成し、複数のレンズ（光学素子）１０１ａや絞りから構成される。複数のレンズ１０１ａは、フォーカスレンズ、変倍レンズ（ズームレンズ）、絞りを含む。フォーカスレンズは光軸方向に移動されて焦点調節を行う。変倍レンズは光軸方向に移動されて焦点距離を変更する。絞りは撮像素子１８１に入射する光量を調整する。一点鎖線で示すＯＡは撮影光学系１０１の光軸である。
【００１３】
レンズ駆動部１０２は、レンズ１０１ａを駆動するレンズ駆動手段であり、各種のモータその他のアクチュエータを含む。
【００１４】
操作リング１０４は、光軸方向の位置が固定された状態で、光軸周りに操作者によって回転可能にレンズ鏡筒１００に設けられている回転操作部材である。
【００１５】
回転量検出部１０６は、操作リング１０４の回転量（操作量）を検出する回転量検出手段である。操作リング１０４が操作者によって回転操作されると、その回転量が回転量検出部１０６によって検出される。そして、レンズ制御部１０８が、回転量検出部１０６の検出結果に応じてレンズ駆動部１０２制御してレンズ１０１ａを光軸方向に駆動させる。このように、操作リング１０４の回転運動を機械的にレンズ１０１ａの直進運動に変換せずに、操作リング１０４の回転量検出部１０６とレンズ駆動部１０２は分離されている（パワーズーム、パワーフォーカス）。
【００１６】
このようなパワーズーム、パワーフォーカスでは、回転量検出部１０６による回転量の検出、レンズ駆動部１０２によるレンズ駆動、レンズ制御部１０８と回転量検出部やレンズ駆動部との通信は電力を必要とするため、省電力状態では働かない。つまり、省電力状態で操作リング１０４が回転操作されてもレンズ１０１ａを直ちに移動させることはできず、まずはレンズ鏡筒を省電力状態から撮影可能状態に復帰させる必要がある。
【００１７】
操作検出部１０５は、操作者による操作リング１０４の操作開始を検出する操作検出手段である。図２（ｂ）は、操作検出部１０５の構成を示すブロック図である。回転検出部１１０は、弾性回転部材１０５ａ、回転開始検出部１０５ｂおよび付勢手段１０５ｃを有する。弾性回転部材１０５ａは、操作リング１０４の回転操作に従って回転し、回転力が伝達される部材である。回転開始検出部１０５ｂは、弾性回転部材１０５ａによる回転開始を検出する回転開始検出手段である。付勢部材１０５ｃは、弾性回転部材１０５ａに回転力が安定して伝達されるように弾性回転部材１０５ａを操作リング１０４に付勢する。
【００１８】
復帰通知部１０７は、操作検出部１０５からの出力信号に基づいて、省電力状態から撮影可能状態への復帰を通知する信号をレンズ制御部１０８に送信する復帰通知手段である。このため、復帰通知部１０７は、レンズ鏡筒１００が省電力状態に設定される場合に特に効果がある。
【００１９】
レンズ制御部１０８は、レンズ鏡筒１００の各部を制御するレンズ制御手段であり、電気接点１９０を介してカメラ制御部１８３と通信をする。レンズ制御部１０８は、カメラ本体１８０からの電力供給の状態に基づいてカメラ本体１８０が省電力状態であるかどうかを判断する。レンズ制御部１０８は、省電力状態であると判断した場合には回転量検出部１０６への電力供給を停止することによってレンズ鏡筒１００を省電力状態に設定する。但し、レンズ制御部１０８は、レンズ鏡筒１００を省電力状態に設定した後でも操作検出部１０５、復帰通知部１０７およびレンズ制御部１０８への電力供給は維持する。このため、操作検出部１０５は、省電力状態であっても操作者による操作リング１０４の操作開始を検出することができ、それに応じて復帰通知部１０７が復帰信号をレンズ制御部１０８に送信することができる。また、レンズ制御部１０８は、復帰通知部１０７からの復帰信号を受信し、回転量検出部１０６への電力供給を再開することによってレンズ鏡筒１００を省電力状態から撮影可能状態へ変更する。また、レンズ制御部１０８は、（カメラ本体１８０が省電力状態であっても）カメラ本体１８０のカメラ制御部１８３と通信をして、カメラ本体１８０を省電力状態から撮影可能状態へ復帰させる。
【００２０】
カメラ本体１８０は、撮像素子１８１、画像処理部１８２、カメラ制御部１８３、メモリ１８４、操作部１８５を有する。
【００２１】
撮像素子１８１は、撮影光学系１０１が形成した光学像を光電変換し、ＣＭＯＳやＣＣＤなどの各種センサから構成される。画像処理部１８２は、撮像素子１８１からの信号を画像信号へ変換する処理を施す。カメラ制御部１８３は、カメラ本体１８０の各部を制御すると共にレンズ制御部１０８と通信するカメラ制御手段である。メモリ１８４は、画像や動作に必要なプログラム、変数や閾値などの情報を記憶する記憶手段であり、ＤＲＡＭなどの内部メモリとＳＤカードなどの外付け記憶装置を含む。
【００２２】
操作部１８５は、操作者がカメラ本体１８０へ各種の入力操作を行う操作手段である。操作部１８５は、電源スイッチ、モード設定手段などを含む。電源スイッチをオンにするとカメラ本体１８０は電源オン状態となり、レンズ鏡筒１００へも電源が供給される。電源スイッチがオフにされるとカメラ本体１８０およびレンズ鏡筒１００への電源がオフになる。モード設定手段は、静止画を撮影する静止画撮影モード、動画を撮影する動画撮影モード、撮影された静止画像や動画像を再生する再生モードなどを設定する。
【００２３】
更に、カメラ本体１８０は、電源オンの時に、撮影可能モード（撮影可能状態）と省電力モード（省電力状態）の２つのモードを有する。電源オフ時には、カメラ本体１８０の全ての電気的動作ができなくなる。撮影可能モードでは、各電子デバイスに電力が供給され、撮影準備がなされる。省電力モードは、撮影可能モードにおいて、レンズ鏡筒１００への操作やカメラ本体１８０への操作が一定時間行われなかった際に、消費電力を抑えるために一部の電子デバイスへの電力供給を抑える低消費電力モードである。上述したように、レンズ鏡筒１００も撮影可能モードと省電力モード（低消費電力モード）の２つのモードを有する。
【００２４】
カメラ本体１８０とレンズ鏡筒１００が撮影可能モードにあれば、操作検出部１０５は操作リング１０４の操作を当然に検出する。本実施形態の操作検出部１０５は、カメラ本体１８０とレンズ鏡筒１００が共に省電力モードである場合に、操作リング１０４が操作された場合でも操作リング１０４の操作を検出することができる。
【実施例１】
【００２５】
図１（ａ）は、実施例１の操作リング１０４と操作検出部１０５の部分斜視図であり、図１（ｂ）は、その部分断面図である。実施例１では、弾性回転部材１０５ａの一例として弾性回転部材１２０を使用し、回転開始検出部１０５ｂの一例としてシャフト１３０Ａ、円筒電極１４０Ａ、ブラシ電極１５１〜１５３、電子回路１６０を使用する。付勢手段１０５ｃの一例については後述する。
【００２６】
弾性回転部材１２０は、円筒と円錐台を結合した形状を有し、中心軸の周りに貫通穴１２６を有する。弾性回転部材１２０は、円筒部１２１ａは、後述する回転軸ＲＡ１に平行な円筒面を有し、円錐台部１２１ｂの外周に回転軸ＲＡ１に対して傾斜した傾斜面（テーパー面）１２２を有する。傾斜面（第２の傾斜面）１２２には、複数の突起部１２４が周方向に設けられている。突起部１２４は、操作者の手が感じる不快感を低減する。突起部１２４は、弾性部材から構成され、半球形状を有する。但し、突起部１２４は、楕円体など他の曲面形状を有してもよい。また、複数の突起部１２４は一つの突起として弾性回転部材１２０の周方向に結合されていてもよい。
【００２７】
シャフト１３０Ａは、円筒形状を有し、回転軸ＲＡ１の周りに回転可能に設けられる。シャフト１３０Ａは、弾性回転部材１２０の貫通穴１２６に挿入されて弾性回転部材１２０に固定され、シャフト１３０Ａと弾性回転部材１２０は一体で回転する。
【００２８】
円筒電極１４０Ａは、中空円筒形状を有する。円筒電極１４０Ａは、中心軸の周りに貫通穴１４１を有し、シャフト１３０Ａは、円筒電極１４０Ａの貫通穴１４１にも挿入されて円筒電極１４０Ａに固定されるため、シャフト１３０Ａと円筒電極１４０Ａとは一体で回転する。円筒電極１４０Ａの円筒面１４２には、図５を参照して後述する導電部と非導電部のパターンが形成され、ブラシ電極１５１〜１５３に接触している。円筒電極１４０Ａの円筒の一方の円形の端面１４３は弾性回転部材１２０の円筒部１２１ａの一面に接触し、円筒電極１４０Ａの円筒の他方の円形の端面１４４Ａは図１（ａ）では露出している。端面１４４Ａには、後述する付勢手段による付勢力が回転軸ＲＡ１の長手方向に加わる。ブラシ電極１５１〜１５３は、折れ曲がったフォーク形状を有して弾性力によって円筒電極１４０Ａに接触している。
【００２９】
操作リング１０４は、操作者から加わる回転力を弾性回転部材１２０に伝達する傾斜面（第１の傾斜面）１０４ａを有する。傾斜面１０４ａは、弾性回転部材１２０を摩擦によって回転（転動）させる機能を有する。傾斜面１０４ａと１２２の回転軸ＲＡ１に対する傾斜角度は等しくてもよい。
【００３０】
図１（ｂ）に示すように、操作リング１０４と弾性回転部材１２０は、傾斜面１０４ａと突起部１２４において点接触し、弾性回転部材１２０の回転軸方向において複数の点で接触することがない。後述するように、複数の突起部１２４が傾斜面１０４ａと接触する部分の回転半径（点接触位置から回転軸ＲＡ１までの回転軸ＲＡ１に対して垂直な長さ）はほぼ一定である。矢印Ａは、点接触を維持して弾性回転部材１２０の回転を安定させるために弾性回転部材１２０を操作リング１０４に付勢する方向を表している。これにより、操作リング１０４への回転力が弾性回転部材１２０の回転力として伝達される。
【００３１】
図４（ａ）は、図１に示す矢印Ａの付勢力を加える付勢手段１０５ｃの一例を示す図である。付勢手段は、シャフト１３０Ａの両端に固定された２つの軸受部材１３２と圧縮バネ１３４を有する。Ｐ１は基準位置である。図４（ｂ）は、操作リング１０４の櫛歯１０４ｂ周辺の部分平面図である。
【００３２】
操作リング１０４は、固定筒１０３の外周に固定されている。ＲＡ２は操作リング１０４の回転軸であり、操作リング１０４は固定筒１０３に対し、回転軸ＲＡ２を中心に回転可能に構成されている。回転軸ＲＡ２は光軸ＯＡであってもよい。固定筒１０３は、第１の円筒面１０３ａと第２の円筒面１０３ｂとの間に段差を有する。第２の円筒面１０３ｂと操作リング１０４の間に、弾性回転部材１２０、シャフト１３０Ａ、円筒電極１４０が設けられている。また、傾斜面１０４ａも第２の円筒面１０３ｂの外側に位置するように配置されている。
【００３３】
操作リング１０４は櫛歯１０４ｂを更に有する。図４（ａ）では、櫛歯１０４ｂは、第１の円筒面１０３ａに対向して設けられている。第１の円筒面１０３ａと櫛歯１０４ｂとの間には、回転量検出部１０６の一例としてのフォトインターラプタ１０６ａが設けられている。フォトインターラプタ１０６ａは、発光素子１０６ａ１と受光素子１０６ａ２から構成され、光路１０６ａ３は、図４（ａ）に点線で示すように、発光素子１０６ａ１から受光素子１０６ａ２に向かうように設けられている。図４（ｂ）に示すように、櫛歯１０４ｂは複数の矩形の歯１０４ｃを有し、複数の歯１０４ｃは一定間隔で設けられ、各歯１０４ｃは光路１０６ａ３に挿入されると遮光部として作用する。歯１０４ｃの間の部位は光路１０６ａ３の光を遮らない非遮光部（透光部）１０４ｄである。フォトインターラプタ１０６ａの受光素子１０６ａ２は、例えば、櫛歯１０４ｂによって遮光されるとローレベルの信号を出力し、遮光されないとハイレベルの信号を出力する。フォトインターラプタ１０６ａは、図４（ｂ）に示すように、周方向の位相がずれた位置に２つ配されている。２つのフォトインターラプタ１０６ａにより、公知の技術を利用して操作リング１０４の回転方向と回転量が検出される。
【００３４】
軸受部材１３２は、固定筒１０３の第２の円筒面１０３ｂに固定され、軸受１３２ａにおいて回転軸ＲＡ１とＲＡ２が平行になるようにシャフト１３０Ａの両端を回転自在に（回転軸ＲＡ１方向には移動しないように）保持する。圧縮バネ１３４は、圧縮された状態でシャフト１３０Ａの周りに設けられる。圧縮バネ１３４の一端は図４（ａ）の右側の軸受部材１３２の内面１３３に接触し、圧縮バネ１３４の他端は円筒電極１４０Ａの端面１４４Ａに接触する。
【００３５】
図４（ａ）において、右側の軸受部材１３２は第２の円筒面１０３ｂに固定されているので、右側の軸受部材１３２の内面１３３の位置（基準位置Ｐ１）は固定されている。このため、圧縮バネ１３４は、円筒電極１４０Ａとそれに接触する弾性回転部材１２０を左側に付勢する付勢手段として機能する。この結果、弾性回転部材１２０の突起部１２４が操作リング１０４の傾斜面１０４ａに矢印Ａ方向に付勢される。
【００３６】
点接触を保つために、突起部１２４は付勢された状態において潰れきらずに突起形状を保つよう弾性率や突起高さが調整される。但し、突起部１２４と傾斜面１０４ａの接触は「点」に限定されず、突起部１２４の周囲で傾斜面１２２が傾斜面１０４ａと接触しなければ足りる。
【００３７】
弾性回転部材１２０、シャフト１３０Ａ、円筒電極１４０Ａは一体で回転し、円筒電極１４０Ａが、ブラシ電極１５１〜１５３に対して摺動することによって生成される信号に基づいて操作リング１０４の回転開始を検出することができる。
【００３８】
図３（ａ）は、本実施例と比較される、傾斜面１２２を有していない弾性回転部材２２０を用いた場合の断面図である。２３２は図４（ａ）に示す軸受部材１３２に対応し、シャフト１３０Ａに対応するシャフト２３０の両端を一括で回転可能に保持する軸受ユニットである。
【００３９】
図３（ａ）では、操作リング２０４と弾性回転部材２２０は、シャフト２３０の回転軸ＲＡ３と平行な線分断面を有する領域Ｂにて線接触する。弾性回転部材２２０の回転を安定させるために、領域Ｂの接触面に垂直な矢印Ｃ１方向に弾性回転部材２２０を付勢する必要がある。また、シャフト２３０と軸受ユニット２３２の相対位置を一定に維持して食い付きなくシャフト２３０を回転させるために、軸受ユニット２３２ごと矢印Ｃ２方向に付勢する必要がある。この結果、操作検出部の径方向の寸法が大型化して、レンズ鏡筒の小型化の要請に反する。
【００４０】
図３（ｂ）は、弾性回転部材が傾斜面を有するが突起部を有しない場合の構成を示す断面図である。同図においては、弾性回転部材３２０は傾斜面３２２を有し、操作リング３０４も傾斜面３０４ａを有する。図３（ａ）と異なり、弾性回転部材３２０と操作リング３０４は、回転軸ＲＡ４と平行ではない線分断面を有する領域Ｄにおいて接触している。接触を安定させるために、軸受部材を除いた、弾性回転部材３２０、シャフト３３０だけ図３（ｂ）の矢印Ａ方向に付勢すればよいので、付勢手段ひいてはレンズ鏡筒はそれほど大型にならない。なお、回転軸ＲＡ４に対する傾斜面３２２と３０４ａの傾斜角度は、小型化の要請から、１５度から７５度が好ましく、３０度〜６０度がより好ましい。
【００４１】
しかしながら、領域Ｄで弾性回転部材３２０が回転軸ＲＡ４周りに回転する際の安定性は十分ではない。これは、領域Ｄ上に複数の異なる回転半径Ｅが存在するために領域Ｄ内で周速の違いが生じ、領域Ｄには回転を伝達する領域と滑りを発生する領域が同時に存在することになるためである。この結果、弾性回転部材３２０への回転力の伝達が不安定になり、弾性回転部材３２０の不要な抵抗力が操作リング３０４を操作する操作者の手に不快感を与えてしまう。
【００４２】
図３（ｃ）は、本実施例の構成を示す断面図である。同図においては、弾性回転部材１２０は傾斜面１２２を有し、操作リング１０４も傾斜面１０４ａを有する。好ましい傾斜角度については上述したとおりである。また、操作リング１０４と弾性回転部材１２０は、突起部１２４と傾斜面１０４ａを介して、接触点Ｆにて点接触する。矢印Ａ方向に付勢が行われればよく、構成は大型化しない。また、弾性回転部材１２０が回転する際の回転半径Ｇで一定となり、周速の違いは発生せず、回転は安定し、操作者の手に不快感も与えない。
【００４３】
なお、突起部１２４は傾斜面１０４ａと１２０のいずれか一方に設けられれば足りる。この場合、操作リング１０４と弾性回転部材３２０は突起部と傾斜面１０４ａと１２０の他方の接触によって接触することになる。そして、操作リング１０４が回転操作されたときの弾性回転部材３２０の回転軸ＲＡ１に垂直な方向の突起部と傾斜面１０４ａと１２０の他方との接触位置と回転軸ＲＡ１との距離（回転半径）は一定である。ここで、「一定」は突起部１２４の製造誤差やつぶれによる変動は許容する趣旨である。この距離を一定に維持することによって操作感触（操作性）は向上する。
【００４４】
図５（ａ）は、円筒電極１４０Ａの斜視図である。同図に示すように、円筒電極１４０Ａの円筒面１４２には、導電部１４２ａと非導電部１４２ｂから構成される電極パターンが形成されている。
【００４５】
図５（ｂ）は、円筒面１４２の電極パターンの展開図である。同図に示すように、円筒面１４２の左半分には、導電部１４２ａと非導電部１４２ｂが短冊状に、それぞれ等幅かつ等ピッチで配置されている。導電部１４２ａの幅Ｗ１は非導電部１４２ｂの幅Ｗ２よりも狭く設定されている。円筒面１４２の右半分には導電部１４２ａが配置されている。円筒面１４２の左半分はブラシ電極１５１、１５２と接触しながら回転し、円筒面１４２の右半分はブラシ電極１５３と接触しながら回転する。
【００４６】
一例として、図１に示すように、ブラシ電極１５１、１５２は円筒面１４２を上下に挟んで対向して配置されているが、ブラシ電極１５１、１５２が共に導通しない限り、この配置に限定されない。ブラシ電極（第３のブラシ電極）１５３の円筒面１４２上の位置は限定されない。
【００４７】
図５（ｃ）、（ｄ）、（ｅ）は、それぞれ、円筒電極１４０Ａが回転する際の、図５（ａ）の矢印Ｈ方向から見た円筒面１４２とブラシ電極１５１、１５２の接触を示す断面図である。
【００４８】
図５（ｃ）は、導電部１４２ａがブラシ電極（第２のブラシ電極）１５２と接触している状態を示している。図５（ｄ）は、導電部１４２ａがブラシ電極（第１のブラシ電極）１５１と接触している状態を示している。図５（ｅ）は、ブラシ電極１５１、１５２が共に導電部１４２ａと非接触の状態を示している。
【００４９】
図５（ｂ）に示すように、電極パターンは導電部１４２ａの幅Ｗ１が非導電部１４２ｂの幅Ｗ２よりも短く配されているので、円筒電極１４０Ａが回転すると、図５（ｃ）〜（ｅ）のいずれかの状態になる。一方、ブラシ電極１５３は、図５（ｃ）〜（ｅ）のいずれの状態においても円筒面１４２の導電部１４２ａと接触して常に導通している。この結果、ブラシ電極１５１と１５３が導通、ブラシ電極１５２と１５３が導通、非導通の三つの状態が存在することになる。
【００５０】
ブラシ電極１５１、１５２、１５３の端部は図１に示す電子回路１６０に接続され、電子回路１６０からは導電部１４２ａを介してブラシ電極同士が導通することで２種類の信号を出力する。ブラシ電極１５１、１５２はそれぞれ、ブラシ電極１５３と導通状態ではオン信号（例えば、ハイレベルの信号）が生成され、ブラシ電極１５３と非導通の場合はオフ信号（例えば、ローレベルの信号）が生成される。
【００５１】
図６は、回転開始検出部１０５ｂを構成する電子回路１６０で生成される信号例を示すグラフである。横軸は、円筒電極１４０Ａの回転位置（基準位置から回転量）、縦軸は電子回路１６０が生成する信号である。同図において、実線Ｍ１はブラシ電極１５１と１５３の導通を表し、破線Ｍ２はブラシ電極１５２と１５３の導通を表している。ブラシ電極１５１が導通している時にはブラシ電極１５２は導通せず、ブラシ電極１５２が導通している時にはブラシ電極１５１は導通しない。つまり、電子ブラシ１５１と１５２が共に導通することはない。回転操作開始の検出にはこのような信号が得られれば十分であるため、回転量検出部１０６よりも分解能が小さくてもよく、電極パターンの幅の寸法精度が低くてもよい。
【００５２】
図７は、電子回路１６０の電気回路図である。電子回路１６０は、切替スイッチ１６１、電界効果型トランジスタ（ＦＥＴ）１６２、１６３、抵抗１６４、１６５、端子１６６〜１６８を有する。
【００５３】
切替スイッチ１６１の端子１６１ａ〜１６１ｃは、それぞれ、ブラシ電極１５１、１５２、１５３の不図示の端子に接続された端子である。円筒電極１４０が回転すると、ブラシ電極１５３に接続された端子１６１ｃは端子１６１ａと端子１６１ｂとの導通が選択的に切り替わる。また、端子１６１ｃは接地される。例えば、図５（ｄ）の状態では、端子１６１ｃは端子１６１ａに接続され、図５（ｃ）の状態では、端子１６１ｃは端子１６１ｂに接続される。図５（ｅ）の状態では、端子１６１ｃは端子１６１ａと１６１ｂのいずれにも接続されない。
【００５４】
ＦＥＴ１６２の端子１６２ａ、１６２ｂは、それぞれ、レンズ制御部１０８の不図示の端子に接続されている。端子１６６、１６７は、それぞれ、レンズ制御部１０８の不図示の端子および復帰通知部１０７と、端子１６８は電源Ｖｃｃと接続されている。
【００５５】
ＦＥＴ１６２の特性により、端子１６２ａに接続しているレンズ制御部１０８より電圧のＨ（ハイ）、Ｌ(ロー)の切り替えを行うことでＦＥＴ１６２のＤ（ドレイン）、Ｓ（ソース）間の導通状態を制御することができる。端子１６２ａをＨとするとＦＥＴ１６２のＤ、Ｓ間は導通可能となり、端子１６２ａをＬとするとＦＥＴ１６２のＤ、Ｓ間は導通不可となる。
【００５６】
端子１６２ａの電圧がＬ、または切替スイッチ１６１の端子１６１ａが端子１６１ｃと導通していないときは、抵抗１６４において電圧降下が発生せず、レンズ制御部１０８に接続されるＩＮの端子１６６の電圧がＨとなる。端子１６２ａの電圧がＨ、かつ切替スイッチ１６１の端子１６１ａが端子１６１ｃと導通しているときは、抵抗１６４において電圧降下が発生し、レンズ制御部１０８に接続されるＩＮの端子１６６の電圧がＬとなる。また、端子１６１ｂ、ＦＥＴ１６３、端子１６７、抵抗１６５の電気回路は、端子１６１ａ、ＦＥＴ１６２、端子１６６、抵抗１６４の電気回路と同様の動作を行う。
【００５７】
これにより、電子回路１６０は、端子１６１ａ、１６１ｂのオン、オフ（端子１６１ｃとの導通または非導通）を検出することができる。レンズ鏡筒１００が省電力モードの時に電力を消費しない切替スイッチ１６１を利用することができるため、消費電力を抑えて操作リング１０４の回転操作を検出することができる。
【００５８】
復帰通知部１０７は、端子１６６、１６７より１組の信号を受信し、受信した信号に応じた信号をレンズ制御部１０８の入力端子に出力する。復帰通知部１０７は、端子１６６、１６７からの信号が（Ｈ、Ｈ）のときＬの信号を出し、（Ｈ、Ｌ）または（Ｌ、Ｈ）のときＨの信号を出すように構成されている。
【００５９】
図８（ａ）は、レンズ鏡筒１００がカメラ本体２００の省電力モードを認識してから省電力モードとなるまでのレンズ制御部１０８による制御方法のフローチャートである。「Ｓ」はステップ（工程）を表しており、図８（ａ）に示す制御方法は、コンピュータに各ステップの機能を実行させるためのプログラムとして具現化が可能であるが、これは図８（ｂ）に示すフローチャートにも当てはまる。
【００６０】
まず、レンズ制御部１０８は、カメラ本体２００が省電力モードであるかどうかを判定する（Ｓ１００）。レンズ制御部１０８は、例えば、カメラ本体２００から一定周期で送信される信号がＬであれば、省電力モードであると判断する。レンズ制御部１０８は、カメラ本体２００が省電力モードであると判断すると（Ｓ１００のＹＥＳ）、図８（ｂ）に示す操作検出部１０５の動作を設定し（Ｓ１０１）、レンズ鏡筒１００に省電力モードを設定し（Ｓ１０２）、処理を終了する。Ｓ１０２では、レンズ制御部１０８は、回転量検出部１０６やレンズ駆動部１０２への通電を停止させるが、端子１６２ａ、１６２ｂへの出力は保持されている。一方、レンズ制御部１０８は、カメラ本体２００が省電力モードではないと判定すると（Ｓ１００のＮＯ）、端子１６２ａ、１６２ｂをＬに設定し、処理を終了する。
【００６１】
図８（ｂ）は、Ｓ１０１で設定される操作検出部１０５の動作の詳細を示すフローチャートである。
【００６２】
まず、レンズ制御部１０８は、端子１６２ａ、１６２ｂをＨに設定する（Ｓ１１０）。この時、切替スイッチ１６１の端子１６１ａ、１６１ｂが端子１６１ｃと導通していれば、ＦＥＴ１６２、１６３のＳに電流が流れ、端子１６６、１６７はＬを示す。次に、レンズ制御部１０８は、端子１６６がＬかどうかを判断する（Ｓ１０４ａ）。レンズ制御部１０８は、端子１６６がＬであると判断すると（Ｓ１０４ａのＹＥＳ）、端子１６１ａが導通しているため、端子１６２ａをＬに設定して（Ｓ１０４ｂ）処理を終了する。端子１６２ａをＬに設定することによって、端子１６１ａがオンであっても電力を消費しない状態になる。また、端子１６１ａがオンであれば、端子１６１ｂはオフであるので、操作リング１０４が回されない限り電力を消費することがない状態となる。
【００６３】
レンズ制御部１０８は、端子１６６がＬではないと判断すると（Ｓ１０４ａのＮＯ）、端子１６６は導通していないため、端子１６７がＬかどうかを判断する（Ｓ１１３）。レンズ制御部１０８は、端子１６７がＬであると判断すると（Ｓ１１３のＹＥＳ）、端子１６１ｂが導通しているため、端子１６２ｂをＬに設定して（Ｓ１１４）処理を終了する。端子１６２ｂをＬに設定することによって、端子１６７がオンであっても電力を消費しない状態となる。また、端子１６１ａがオフであるので、操作リング１０４が回されてない限り電力を消費することがない状態となる。端子１６７がＨと判断されると、レンズ制御部１０８は、端子１６１ａ、１６１ｂが共にオフであるため、処理を終了する。
【００６４】
図８（ｃ）は、復帰時のレンズ制御部１０８の動作を示すフローチャートである。レンズ鏡筒１００が省電力モードとなっても端子１６２ａ、１６２ｂへの出力は保持されているため、省電力モード時の端子１６６、１６７の出力（Ｈ，Ｈ）は復帰通知部１０７に送出され、復帰通知部１０７からレンズ制御部１０８の入力端子への信号はＬとなる。
【００６５】
まず、レンズ制御部１０８は、復帰通知部１０７から受信する信号レベルの変化（本実施例ではＬからＨ）があったかどうかを判断する（Ｓ１２０）。操作リング１０４が操作者により回転されると、電極１５１と１５３または電極１５２と１５３が導電部１４２ａを介して導通するので、（Ｌ，Ｈ）もしくは（Ｈ，Ｌ）の信号が復帰通知部１０７に出力される。復帰通知部１０７はその信号を受信し、Ｈ信号をレンズ制御部１０８に出力する。レンズ制御部１０８の入力端子はＬからＨとプルアップされるので、レンズ鏡筒１００を省電力モードから復帰させ、次いでカメラ本体２００を省電力モードから撮影可能モードに復帰させる（Ｓ１２２）。具体的には、回転量検出部１０６とレンズ駆動部１０２へ電力供給を再開して操作リング１０４による回転操作量に応じたレンズ１０１ａの移動を可能にする。次に、カメラ制御部１８３にＨ信号を送信して撮影可能モードに復帰したことを通知する（Ｓ１２４）。これに応答して、カメラ制御部１８３はカメラ本体１８０を省電力モードから撮影可能モードに復帰させる。
【００６６】
以上、本実施例によれば、レンズ鏡筒１００の省電力モードからの復帰を操作リング１０４への入力で可能にし、良好な操作性と安定した回転力の伝達を両立することができる。
【実施例２】
【００６７】
図９（ａ）は、実施例２の操作検出部１０５の適用例を示す斜視図であり、図９（ｂ）は、その断面図である。図９において、実施例１と同一の構成には同一の参照番号を付している。実施例２は、ブラシ電極１５３の代わりにブラシ電極１５４を使用し、ブラシ電極１５４に圧縮バネ１３４の機能を持たせ、圧縮バネ１３４を省略している。ブラシ電極１５４は、ブラシ電極１５３と圧縮バネ１３４の機能を兼ねている。即ち、ブラシ電極１５４は弾性を有し、円筒電極１４０Ｂを介して弾性回転部材１２０を光軸方向（図４に示す矢印Ａ方向）へ付勢する弾性力を加える。また、円筒電極１４０Ｂは、ブラシ電極１５４と円筒面ではなく端面１４４Ｂにおいて接触し、端面１４４Ｂにも導電部１４２ａを有する。即ち、円筒電極１４０Ｂの端面１４４Ｂの導電部１４２ａは、ブラシ電極１５１、１５２が導電部１４２ａと導通していてもいなくても、常にブラシ電極１５４と接触して導通している。円筒電極１４０Ｂは、円筒電極１４０Ａの左半分に相当する長さを有し、回転軸ＲＡ１方向の長さが短くなっている。これに合わせて、シャフト１３０Ｂの回転軸ＲＡ１方向の長さもシャフト１３０Ａよりも短くなっている。このように、多機能化によって、操作検出部１０５の光軸方向の長さが短くなっている。
【００６８】
以上、本実施例においても、レンズ鏡筒１００の省電力モードからの復帰を操作リング１０４への入力で可能にし、良好な操作性と安定した回転力の伝達を両立することができる。
【産業上の利用可能性】
【００６９】
レンズ装置は、一眼レフカメラやミラーレスカメラなどの交換レンズに適用することができる。
【符号の説明】
【００７０】
１００・・・レンズ鏡筒（レンズ装置）、１０１ａ・・・レンズ（光学素子）、１０２・・・レンズ駆動手段、１０４・・・操作リング（操作部材）、１０４ａ・・・第１の傾斜面、１０５・・・操作検出部（操作検出手段）、１０５ａ、１２０・・・弾性回転部材、１０６・・・回転量検出部（回転量検出手段）、１０７・・・復帰通知部（復帰通知手段）、１０８・・・レンズ制御部（レンズ制御手段）、１２２・・・第２の傾斜面、１２４・・・突起部
【図１】
2016018087.tif 000003
【図２】
2016018087.tif 000004
【図３】
2016018087.tif 000005
【図４】
2016018087.tif 000006
【図５】
2016018087.tif 000007
【図６】
2016018087.tif 000008
【図７】
2016018087.tif 000009
【図８】
2016018087.tif 000010
【図９】
2016018087.tif 000011